(57)【要約】【目的】  微小物質を有する微小物体を掴む際に用いられ、微小物体を掴んだときに、人体の静電気を逃がすことができ、微小物質と微小物体に静電気が作用することを防ぐことができるアース付きピンセットを提供する。【構成】  人がピンセット１を操作する際に、静電気を逃がすためのアース線２を接続したアース付きピンセットである。更に、肉眼や光学顕微鏡では形状確認不能なサイズの微小物質７を有する微小物体８をピンセット１で掴む際に用いられるアース付きピンセットである。従って、人体や微小物体８の静電気がピンセット１からアース線２に逃げるので、人体の静電気が微小物質７と微小物体８に作用することがなくて、微小物質７と微小物体８が静電気により破壊されたり破損されたりすることがない。【選択図】  図７
2005230131.tif 000002
【特許請求の範囲】
【請求項１】
人がピンセットを操作する際に、人又はピンセットが挟む物体の静電気を逃がすためのアース線を接続したことを特徴とするアース付きピンセット。
【請求項２】
前記アース線は、前記ピンセットにアース線を直接接続した請求項１に記載のアース付きピンセット。
【請求項３】
前記アース線は、先端にピンセットに対して着脱自在な導電性取付部材を有している請求項１に記載のアース付きピンセット。
【請求項４】
前記導電性取付部材は、アース線の先端に取り付けられたクリップである請求項３に記載のアース付きピンセット。
【請求項５】
請求項１、２、３又は４に記載のアース付きピンセットは、肉眼や光学顕微鏡では形状確認不能なサイズの微小物質を有する微小物体をピンセットで掴む際に用いられることを特徴とするアース付きピンセット。
【請求項６】
前記微小物質は、カーボンナノ物質である請求項５に記載のアース付きピンセット。
【請求項７】
前記アース線とピンセットの間あるいはアース線の端部またはアース線の中間に抵抗を接続した請求項１〜６のいずれかに記載のアース付きピンセット。
【発明の詳細な説明】
【技術分野】
【０００１】
本発明は、アース線を接続したアース付きピンセットに関し、更に詳細には、肉眼や光学顕微鏡で形状確認不能なサイズの微小物質を有する微小物体をピンセットで掴む際に用いられるアース付きピンセットに関するに関するものである。
【背景技術】
【０００２】
従来のピンセットとして、例えば、特開２００３−１２６１１２号公報（特許文献１）に記載された手術装置がある。図１３に示すように、保持部１１０が、電極１１１ａ、１１１ｂ及びこれらの電極を一体的に支持する絶縁性の支持部１１９を備えている。電極１１１ａ、１１１ｂは、中央部が屈曲した形状を有する導電性材料で形成され、その表面は絶縁体のカバー１１２で被覆した構造となっている。更に、中央部より支持部１１９側に滑り止め部１１５が設けられている。
【０００３】
また、絶縁性カバー１１２は、被検体の組織を接触操作する電極の先端１１３及び支持部１１９の内部には設けられていない。即ち、先端部１１３は、導電性部材が剥き出しの状態となっており、また支持部１１９では、支持部１１９が絶縁体カバーの役割を担っている。
【０００４】
また、１つの電極１１１ｂ内には、電気メス装置として使用する際に、生理食塩水を被検体内に導入するために用いられる送水パイプ１１６が設けられている。送水パイプ１１６の一端は送水口１１４として先端部１１３に設けられ、他端は、支持部１１９を介して送水タンク（図示略）へ接続される。また、支持部１１９内には、電極１１１ａ、１１１ｂを絶縁状態に保つ絶縁部材（図示略）が設けられている。
【０００５】
電極１１１ａ、１１１ｂは、接続用コード１１７を介して手術装置本体と電気的に接続されている。また、支持部１１９には、発光部材であるＬＥＤ１１８が設けられている。ＬＥＤ１１８も、接続用コード１１７を介して手術装置本体と電気的に接続されている。このピンセットは、安全点検後、保持部１１０の各電極１１１ａ、１１１ｂを接地して静電気の除去が行われる。
【０００６】
【特許文献１】特開２００３−１２６１１２号公報
【発明の開示】
【発明が解決しようとする課題】
【０００７】
ところが、上記したピンセットは、手術用として用いられるものであって、肉眼や光学顕微鏡では形状確認不能なサイズの微小物質を有する微小物体を掴む際に用いられるものではない。しかも、接続用コード１１７と電極１１１ａ、１１１ｂの具体的な接続構造、支持部１１９の内部が不明なため、全く分からない。また、ピンセットの構造が極めて複雑であった。
【０００８】
本発明は、上記従来の実情に鑑みてなされたものであって、特に微小物質を有する微小物体を掴む際に用いられ、微小物体を掴んだときに、人体あるいは微小物体の静電気を逃がすことができるアース付きピンセットが提供される。人体の静電気を逃がすことによって、微小物質に静電気が作用することを防ぐことができる。微小物質を有する微小物体を掴む際に、静電気を逃がすことができるから、静電気の突撃電流による微小物質の破壊や破損を防ぐことができる。また、抵抗がある場合には更にゆるやかになる。更に、構造が簡単なアース付きピンセットを提供することを目的としている。
【課題を解決するための手段】
【０００９】
本発明は、上記課題を解決するために提案されたものであって、本発明の第１の形態は、人がピンセットを操作する際に、静電気を逃がすためのアース線を接続したアース付きピンセットである。
【００１０】
本発明の第２の形態は前記アース線は、前記ピンセットにアース線を直接接続したアース付きピンセットである。
【００１１】
本発明の第３の形態は、前記アース線は、先端にピンセットに対して着脱自在な導電性取付部材を有しているアース付きピンセットである。
【００１２】
本発明の第４の形態は、前記導電性取付部材は、アース線の先端に取り付けられたクリップとなるアース付きピンセットである。
【００１３】
本発明の第５の形態は、前記第１、２、３又は４に形態のアース付きピンセットは、光学顕微鏡では形状確認不能なサイズの微小物質を有する微小物体をピンセットで掴む際に用いられるアース付きピンセットである。
【００１４】
本発明の第６の形態は、前記微小物質が、カーボンナノ物質あるいは非常に微小で先が細く尖ったＳｉや金属であるアース付きピンセットである。
【００１５】
本発明の第７の形態は、前記アース線とピンセットの間あるいはアース線の端部またはアース線の中間に抵抗を接続したアース付きピンセットである。
【発明の効果】
【００１６】
本発明の第１の形態によれば、ピンセットにアース線が接続されているので、このピンセットで物質を掴んだ際に、人体あるいは微小物体の静電気をアース線を介して逃がすことができる。特に、物質が静電気あるいは静電気が移動する際の突撃電流、もしくは静電気が突出部より放電することによって破壊されるものである場合に、静電気を強制的かつ、ゆるやかに逃がすことによって、この物質が破壊されることを防ぐことができる。特に、物体が肉眼や光学顕微鏡では形状確認不能なナノ物質、例えばカーボンナノ物質あるいは非常に微小で先が細く尖ったＳｉや金属等の微小物質を有する微小物体をピンセットで掴んだ際に、人体の静電気をアース線を介して逃がすことで、この微小物質が静電気により破壊されない。尚、アース線は、室内のコンセントのアース接続用端子や水道管など接地されている部材に接続するとよい。
【００１７】
本発明の第２の形態によれば、アース線がピンセットに直接接続されているので、構造が簡単であるとともに、ピンセットを掴んだ際に人体あるいは微小物体の静電気をアース線で直接逃がすことができる。人体あるいは微小物体の静電気をアース線で直接逃がすことができるので、ピンセットで掴んだ物質が静電気で破壊されることが防止できる。
【００１８】
本発明の第３の形態によれば、アース線の先端に、ピンセットに着脱可能な導電性取付部材を有しているので、この取付部材をピンセットに取り付けて、ピンセットから静電気を取付部材を有してアース線に逃がすことができる。静電気を逃がす必要がない場合には、ピンセットからアース線先端の取付部材を取り外して、普通のピンセットとして使用することができる。
【００１９】
本発明の第４の形態によれば、導電性取付部材がクリップであるので構造が簡単であり、このクリップをピンセットに簡単に着脱することができる。クリップの形状は公知の形状を利用できる。また、クリップは金属、導電性プラスチック等各種導電材料で形成できる。更に、クリップをピンセットに取り付けると、このクリップは容易に外れることがなく、簡便、確実にピンセットを接地することができる。
【００２０】
本発明の第５の形態によれば、本発明のアース付きピンセットを肉眼や光学顕微鏡では形状確認不能なサイズの微小物質を有する微小物体を掴む目的に使用できる。このとき、アース付きコンセントにアース線を連結すれば、静電気除去を簡単に行える。特に、この発明は静電気で破壊され易い微小物体が対象である。この微小物体に微小物質としてナノ構造物が取付られている場合には、静電気あるいは静電気が移動する際の突撃電流、もしくは静電気が突出部より放電することにより、ナノ構造物は破壊されてしまう。アース線により静電気を事前に除去しておけば、ナノ構造物の破壊を防止できる。ナノ物質としては、例えばナノチューブがある。このナノチューブを探針としたカンチレバーや、２本以上のナノチューブを取り付けたナノピンセット、ナノチューブをトランジスタ等の電子素子とした電気回路が微小物体に相当する。この発明が対象とする微小物質や微小物体は上記に限定されず、あるいは非常に微小で先が細く尖ったＳｉや金属のような静電気により破壊され易い全ての微小物質や微小物体が本発明に包含される。
【００２１】
これらの微小物質は、静電気によって破壊されるおそれがあるが、アース線を接続したピンセットで掴むと、人体あるいは微小物体の静電気がアース線で逃がされて、静電気破壊を未然に防止できる。尚、これらの微小物質７は、肉眼や光学顕微鏡では形状確認できない大きさであるが、電子顕微鏡では形状確認できるサイズの物質である。
【００２２】
本発明の第６の形態によれば、カーボンナノ物質からなる微小物質を、アース付きピンセットで掴んだ際に、人体あるいは微小物体の静電気がアース線で逃がされるので、ナノ物質の典型例であるカーボンナノ物質が破壊されることを防ぐことができる。カーボンナノ物質としては、カーボンナノチューブ、カーボンナノコイル、フラーレン、アモルファスカーボンピラー等が含まれる。
【００２３】
本発明の第７の形態によれば、アース線に抵抗を接続することにより、静電気がこの抵抗Ｒ通過するときに、熱が発声して急激に電流が消耗し、静電気による火花が発生することを防止できる。従って、火花で爆発等を起こす気体の雰囲気中でも爆発等が起こることがなくて安全である。
【発明を実施するための最良の形態】
【００２４】
以下、本発明に係るアース付きピンセットの実施の形態を添付する図１〜図１１に基づいて詳細に説明する。
【００２５】
図１は本発明に係るアース付きピンセットの第１実施形態を示す斜視図である。  この第１実施形態のアース付きピンセットは、図１に示すように、ピンセット１の後端部の折れ曲がり部１ａにアース線２が巻き付かれるように接続されている。このピンセット１を人が掴むと、人体の静電気がピンセット１からアース線２に流れて逃がすようにしている。
【００２６】
図２はアース付きピンセットのアース線を室内のアース用接続端子に接続した状態を示す斜視図である。図２に示すように、ピンセット１に接続されたアース線２は、室内のコンセント３のアース用接続端子４に接続されている。ピンセット１を掴んだ人の静電気は、ピンセット１からアース線２に流れ、コンセント３のアース用接続端子４に流れて逃がすように構成されている。
【００２７】
図３はアース付きピンセットのアース線を水道の蛇口に接続した状態を示す斜視図である。図３に示すように、この例では、ピンセット１に接続されたアース線２は、水道の蛇口５に巻回されて接続されている。ピンセット１を掴んだ人の静電気は、ピンセット１からアース線２に流れ、水道の蛇口に５に流れて地面に逃がされるように構成されている。
【００２８】
図４は微小物質とこれを保持する微小物体をケース内に収納した状態を示す斜視図である。このケース６は、微小物質７とこれを保持する微小物体８が収納される容器である。このケース６の構造は、導電性ケース本体９と、導電性ケース本体９の開口部を開閉する導電性蓋体１０とから構成されている。更に、導電性ケース本体９の内部には、導電性ゲル等の導電性固定部１１が設けられている。
【００２９】
微小物質７とこれを保持する微小物体８は、この導電性固定部１１の表面に粘着力により不動状態で保持されている。ケース６の全ての構成部分を導電性にすることにより、ケース６に静電気対策が施されている。このようにすれば、微小物体８には静電気が生じないから、微小物質７に静電気による破損を生じることはなく、安全なケース６となされている。
【００３０】
微小物質７とは、例えば約１ｎｍ〜１００ｎｍの物質であり、これには、カーボンナノ物質などの物質が含まれる。この微小物質７を含有する物体を微小物体と称し、例えばナノ物質製品や半導体カンチレバー等の半導体微小製品がある。カーボンナノ物質としては、炭素からなるカーボンナノチューブ、カーボンナノコイル及びフラーレン、アモルファスカーボンピラー等がある。また、静電気が移動する際の突撃電流、もしくは静電気が突出部より放電するようなものも含む。この微小物質７は、一般的に光の波長に近いかあるいはそれ以下の大きさなので肉眼や光学顕微鏡では形状確認できない大きさを有し、電子顕微鏡では形状確認できるものである。
【００３１】
図５は人体の静電気を逃がすために、手をアースに接続された金属板に押し付けた状態の斜視図である。図５に示すように、人がピンセット１を掴む前に、金属板１２に手Ｔを押し当てて人体の静電気を逃がすようにする。このように、最初に人体の静電気を金属板１２に逃がすようにすると、人体には静電気が殆ど残留しない。
【００３２】
図６はアース付きピンセットでケース内に収納された微小物質を掴む直前の状態を示す斜視図である。図５により人体の静電気を除去したとしても、人が着ている服類の摩擦などによって、人体に静電気が溜まる場合がある。この残留静電気を完全に除去するために、図６に示すように、人がアース付ピンセット１を掴んだ際に、残留静電気がピンセット１からアース線２に流れて逃がされる。従って、この図６の状態では、人体に静電気が残ることがない。次に、ピンセット１をケース６内の微小物質７を有する微小物体８に近づける。
【００３３】
図７はアース付きピンセットでケース内に収納された微小物体を掴んだ状態を示す斜視図である。図７に示すように、人がピンセット１でケース６内の微小物質７を有する微小物体８をピンセット１の先端で掴む。このとき、人体の静電気は予めピンセット１からアース線２に逃がしているので、微小物体８やこれに保持された微小物質７には静電気が全く作用せずに、微小物質７や微小物体８が破壊されたり、破損したりすることがない。また微小物体の静電気も掴むことにより逃がされる。
【００３４】
図８はアース付きピンセットでケース内の微小物体を掴んで持ち上げた状態を示す斜視図である。図８に示すように、ケース６内から微小物質７を有する微小物体８をピンセット１で掴んだ状態でケース６の外に持ち出す。人体の静電気は予めピンセット１からアース線２に逃がしている。このため、人体には静電気が残留していないので、微小物質７や微小物体８は破壊や破損を生じることなく、微小物質７を有する微小物体８をピンセット１で掴んでケース６の外に安全に持ち出すことができる。また、ゲルよりはなした際に発生する微小物体の静電気も逃され微小物質７や微小物体８は破壊や破損を生じることがない。
【００３５】
図９は第２実施形態のアース付きピンセットにおいて、ピンセットにアース線の先端のクリップを取り付ける前の斜視図である。この第２実施形態のアース付きピンセットは、図９に示すように、アース線２の先端にクリップ１３が取付られている。このクリップ１３は、ピンセット１に着脱自在に取り付けられるものである。
【００３６】
図１０は同アース付きピンセットのピンセットに、アース線の先端のクリップを取り付けた状態の斜視図である。図１０に示すように、アース線２の先端のクリップ１３は、ピンセット１の上側を挟むようにして取り付けられる。このピンセット１を掴むと、人体の静電気は、ピンセット１からクリップ１３に流れ、更にアース線２に流れて逃がされる。
【００３７】
図１１は同アース付きピンセットで、微小物質を保持する微小物体を掴んだ状態の斜視図である。図１１に示すように、ピンセット１を掴んで、このピンセット１の先端で微小物質７を有する微小物体８を操作するようにして使用される。このとき、人体の静電気は、予めピンセット１からクリップ１３を通ってアース線２に流れて逃がしてあるので、微小物質７や微小物体８が破壊や破損されることがない。
【００３８】
この第３実施形態では、ピンセット１にアース線２の先端のクリップ１３が着脱自在に取り付けられるので、クリップ１３を外した状態では、普通のピンセット１として使用できる利点がある。
【００３９】
図１２は第３実施形態のアース付きピンセットを示す斜視図である。
図１２に示すように、この第３実施形態のアース付きピンセットは、ピンセット１に取り付けられたアース線２の中間に抵抗Ｒが接続さけている。このように、アース線に抵抗Ｒを接続することにより、静電気がこの抵抗Ｒを通過するときに、熱が発声して急激に電流が消耗し、静電気による火花が発生することを防止できる。従って、火花で爆発等を起こす気体の雰囲気中でも爆発等が起こることがなくて安全である。尚、この抵抗Ｒは、アース線２とピンセット１の間、アース線２の端部に設けてもよいことは勿論である。また、この抵抗Ｒは、第２実施形態のアース付きピンセットにも適用できることは云うまでもない。
【００４０】
本発明は、上記実施形態や変形例に限定されるものではなく、本発明の技術的思想を逸脱しない範囲における種々変形例、設計変更などをその技術的範囲内に包含するものであることは云うまでもない。
【産業上の利用可能性】
【００４１】
この発明に係るアース付きピンセットは、肉眼や光学顕微鏡では形状確認できないサイズの微小物質を有する微小物体を掴むときに使用されるだけでなく、静電気によって破壊や破損し易い他の物質を掴む際にも用いられるものである。
【図面の簡単な説明】
【００４２】
【図１】本発明に係るアース付きピンセットの第１実施形態を示す斜視図である。
【図２】同ピンセットのアース線を室内のアース用接続端子に接続した状態を示す斜視図である。
【図３】同ピンセットのアース線を水道の蛇口に接続した状態を示す斜視図である。
【図４】微小物質とこれを保持する微小物体をケース内に収納した状態を示す斜視図である。
【図５】人体の静電気を逃がすために、手を鉄板に押し付けた状態の斜視図である。
【図６】アース付きピンセットでケース内に収納された微小物質を保持する微小物体を掴む直前の状態を示す斜視図である。
【図７】アース付きピンセットでケース内に収納された微小物質を保持する微小物体を掴んだ状態を示す斜視図である。
【図８】アース付きピンセットでケース内の微小物質を保持する微小物体を掴んで持ち上げた状態を示す斜視図である。
【図９】第２実施形態のアース付きピンセットのピンセットに、アース線の先端のクリップを取り付ける前の斜視図である。
【図１０】同アース付きピンセットのピンセットに、アース線の先端のクリップを取り付けた状態の斜視図である。
【図１１】同アース付きピンセットで、微小物質を保持する微小物体を掴んだ状態の斜視図である。
【図１２】第３実施形態のアース付きピンセットを示す斜視図である。
【図１３】従来のピンセットの斜視図である。
【符号の説明】
【００４３】
Ｔ      手
Ｒ      抵抗
１      ピンセット
１ａ    折れ曲がり部
２      アース線
３      コンセント
４      アース接続端子
５      水道の蛇口
６      ケース
７      微小物質
８      微小物体
９      導電性ケース本体
１０    導電性蓋体
１１    導電性固定部
１２    金属板
１３    クリップ
【図１】
2005230131.tif 000003
【図２】
2005230131.tif 000004
【図３】
2005230131.tif 000005
【図４】
2005230131.tif 000006
【図５】
2005230131.tif 000007
【図６】
2005230131.tif 000008
【図７】
2005230131.tif 000009
【図８】
2005230131.tif 000010
【図９】
2005230131.tif 000011
【図１０】
2005230131.tif 000012
【図１１】
2005230131.tif 000013
【図１２】
2005230131.tif 000014
【図１３】
2005230131.tif 000015